(57)【特許請求の範囲】
【請求項１】
複数本のブーケ担体を束ねて構成され、これら複数本のブーケ担体のうちの少なくとも１本が装飾石を有するブーケ担体であるウエディングブーケであって、
前記装飾石を有するブーケ担体が、ワイヤと、該ワイヤに支持される台座部材と、該台座部材の上に固定される前記装飾石で構成され、
前記台座部材が、変形可能な板材からなり、外周側部位から内周側部位にかけて切り込む切込み部が形成され、
前記切込み部に前記ワイヤが挿通保持された
ウエディングブーケ。
【請求項２】
前記ブーケ担体が密に束ねられた
請求項１に記載のウエディングブーケ。
【請求項３】
前記ワイヤの外周面にテープが被覆されるとともに、
該テープが白色である
請求項１または請求項２に記載のウエディングブーケ。
【請求項４】
前記装飾石が上面に平坦面を有するとともに、
該平坦面に文字が形成された
請求項１から請求項３のうちのいずれか一項に記載のウエディングブーケ。
【請求項５】
前記装飾石の底面に反射材が形成された
請求項１から請求項４のうちのいずれか一項に記載のウエディングブーケ。
【発明の詳細な説明】
【技術分野】
【０００１】
この発明は、ウエディングセレモニーで用いられるウエディングブーケに関し、より詳しくは、クリスタルガラスや模造真珠などの外観美麗な装飾石を用いたウエディングブーケに関する。  
なお、この発明において「ブーケ」の語は「ブートニア」も含む意味で用いる。
【背景技術】
【０００２】
前記のような装飾石を用いたブーケとして、下記特許文献１の装飾体が開示されている。これは、ブーケのほか、リースやクリスマスツリー、風水グッズなど各種のオブジェ用の装飾体である。
【０００３】
その構成は、複数のベース装飾体が複数配置されてなるもので、前記ベース装飾体は、複数の中間ベース部材を束ねて形成され、さらに、その中間ベース部材は、複数の最小ベース部材を束ねて形成される。そして、最小ベース部材は、小孔を有した天然石やガラス細工等の小さな装飾部材と、前記小孔挿通されたワイヤで構成される。
【０００４】
このような構成により、花などを用いた従前のオブジェにはない華やかで艶やかな演出が簡単にできるとされている。
【先行技術文献】
【特許文献】
【０００５】
【特許文献１】登録実用新案第３１３９５２３号公報
【発明の概要】
【発明が解決しようとする課題】
【０００６】
しかしながら、前記特許文献１の装飾体は、天然石などの装飾部材に小孔を形成する必要があり、製造作業は容易ではない。装飾部材の向きが制約を受けるうえに、使用できる装飾部材の大きさにも限界が生じる。
【０００７】
また、小孔の存在によって、装飾部材の輝きが減殺され、外観の美麗さが損なわれてしまう。
【０００８】
さらに、装飾部材に小孔をあけてワイヤを通す構造であるため、ワイヤを通した部分を隠蔽したり、安定性を補ったりするためか、前記のように最小ベース部材を束ねて中間ベース部材にして、更にこれを束ねてベース装飾体としなければならない。
【０００９】
このため、構成部材の選定や配置の自由度が低く、バラエティーに富んだ自由な製造が困難である。
【００１０】
このことは、ウエディングブーケには好ましくはない。すなわち、ウエディングブーケには、ラウンドブーケやキャスケードブーケなど様々な形態のものがあり、新婦の好みで形態や色を選ぶほか、新婦の身長や顔の大きさに合わせてブーケの大きさを決める必要もある。しかも、ブーケの選定には、多種多様なウエディングドレスとの相性が大切である。このように、ウエディングブーケには、設計の自由度が高いことが必要であるが、特許文献１の装飾体をウエディングブーケに採用しても、そのような要求に対応できない。
【００１１】
そこで、この発明は、装飾石を用いた美麗なウエディングブーケが、より高い自由度をもって得られるようにするとこを主たる課題とする。
【課題を解決するための手段】
【００１２】
そのための手段は、複数本のブーケ担体を束ねて構成され、これら複数本のブーケ担体のうちの少なくとも１本が装飾石を有するブーケ担体であるウエディングブーケであって、前記装飾石を有するブーケ担体が、ワイヤと、該ワイヤに支持される台座部材と、該台座部材の上に固定される前記装飾石で構成され、前記台座部材が、変形可能な板材からなり、外周側部位から内周側部位にかけて切り込む切込み部が形成され、前記切込み部に前記ワイヤが挿通保持されたウエディングブーケである。
【発明の効果】
【００１３】
この発明によれば、装飾石は台座部材に固定され支持されるので、装飾石の輝きを損なわないようにすることができる。このため、美麗なウエディングブーケが得られる。
【００１４】
しかも、ブーケ担体の組み合わせに制限はないので、設計の自由度が高い。このため、ウエディングドレスや好みにあった様々なウエディングブーケが容易に得られる。
【図面の簡単な説明】
【００１５】
【図１】ウエディングブーケの正面図。
【図２】ブートニアの正面図。
【図３】ウエディングブーケを構成するブーケ担体の正面図。
【図４】装飾石を有するブーケ担体の正面図。
【図５】台座部材の斜視図。
【図６】台座部材と装飾石の分離状態を示す正面図。
【図７】他の例に係る台座部材の構造説明図。
【図８】装飾石の平面図。
【図９】台座部材に対する装飾石の固定態様を示す分解斜視図。
【図１０】台座部材に対する装飾石の固定態様を示す説明図。
【図１１】他の例に係る台座部材の平面図。
【図１２】他の例に係る台座部材に対する装飾石の固定態様を示す説明図。
【図１３】装飾石を有するブーケ担体の正面図。
【発明を実施するための形態】
【００１６】
この発明を実施するための一形態を、以下図面を用いて説明する。
【００１７】
図１は、ウエディングブーケ１１（以下、「ブーケ」という。）の一例を示す正面図、図２はブートニア１２の一例を示す正面図である。これらブーケ１１とブートニア１２は同様の構成であるのであるので、ブーケ１１の構造の説明をもってブートニア１２の構造の説明に代えることにする。図２のブートニア１２においては、その他の図に示したブーケ１１の部位と同一または同等の部位について、それと同一の符号を付してその詳しい説明を省略する。
【００１８】
ブーケ１１は、図３にも示したように、複数本のブーケ担体２１を適宜束ねて構成されている。束ねるときには、ブーケ担体２１間に極力隙間ができないように密に束ね、リボン等の添付部材４１も適宜添えて、ラウンドブーケやキャスケードブーケ、クレッセントブーケ、クラッチブーケ、オーバルブーケ、リースブーケ、ボールブーケなど所望の形態のブーケ１１にアレンジする。
【００１９】
前記ブーケ担体２１には複数種類あり、図３に示したブーケ担体２１は、その一例である。そして、複数種類のブーケ担体２１のうちの少なくとも１本は、装飾石２２を有するブーケ担体２１ａである。
【００２０】
まず、装飾石２２を有するブーケ担体２１ａについて説明してから、その他のブーケ担体２１ｂについて説明する。
【００２１】
装飾石２２を有するブーケ担体２１ａの前記装飾石２２は、クリスタルガラスや模造真珠、宝石など、輝きなどを有する外観美麗な様々な部材で構成される。
【００２２】
図３に示した装飾石２２を有するブーケ担体２１ａのうち、ラウンド・ブリリアント・カット（Ｒｏｕｎｄ  Ｂｒｉｌｌｉａｎｔ  Ｃｕｔ）形状の装飾石２２ａを有するブーケ担体２１ａの構造について主に説明する。
【００２３】
この形状の装飾石２２ａを有するブーケ担体２１ａは、図４（ａ）に示したように、ワイヤ２３と、このワイヤ２３に支持される台座部材２４と、この台座部材２４の上に固定される前記装飾石２２ａで構成される。そして、前記ワイヤ２３などの外周面には、図４（ｂ）に示したように、例えばフラワーテープなどからなるテープ２５が巻き付けられて被覆がなされ、化粧が施される。
【００２４】
前記テープ２５には、白色を呈するものを用いるとよい。光が入って装飾石２２，２２ａで光の反射や屈折がなされたときに、看者に入る光を明るく保って、美しさを引き立たせることができる。
【００２５】
前記ワイヤ２３は金属製で、手で変形することができ、形態保持も可能な性状を有する周知のものである。
【００２６】
前記台座部材２４も金属製で、例えばアルミニウム合金など、手で変形できる程度の加工性を有する材料からなる薄い板状である。図５（ａ）は台座部材２４の斜視図である。
【００２７】
この図に示すように、台座部材２４は、平面視円形に形成され、外周側部位から内周側部位にかけて切り込む複数の切込み部２４ａが形成されている。切込み部２４ａは、外周縁から切り込む平面視三角形状をなし、４個の切込み部２４ａが、等間隔を隔てて放射状に配設されている。これによって、４枚の片部２４ｃが形成される。各切込み部２４ａの先端には、平面視円形の孔部２４ｂを有する。この孔部２４ｂは、変形時の裂けを防止するとともに、前記ワイヤ２３を保持可能にするものである。なお、台座部材２４の上面は、前記装飾石２２，２２ａを固定する固定面２４ｄである。
【００２８】
このような台座部材２４を用いて前記装飾石２２ａを有するブーケ担体２１ａを構成するには、図６に示したように、台座部材２４を、装飾石２２ａの下面の形状に合わせて適宜変形する。この例の場合には、装飾石２２ａのパビリオン部分２２ｂの形状に合わせて、略円錐状に変形させる。この作業は手で行うほか、同様の形状の硬質の部材に押し当て行うとよい。変形させると、切込み部２４ａが狭まりながら、所望の形状になる。
【００２９】
このとき、またはその前段において、台座部材２４に前記ワイヤ２３を固定し、ワイヤ２３で台座部材２４を支持できるようにする。ワイヤ２３の固定は、図６に示したように、前記切込み部２４ａの先端の孔部２４ｂにワイヤ２３を通すとよい。具体的には、４個の孔部２４ｂのうちの１つの孔部２４ｂに対して下面側からワイヤ２３の一端を挿入し、挿入したワイヤ２３の先端を折り返して隣の孔部２４ｂから下面側に引き出す。同じことを残りの２個の孔部２４ｂに対しても行い、２本のワイヤ２３の両側部分、つまりワイヤ２３が４本束ねられた部分を台座部材２４の下で撚ってまとめると、台座部材２４を支持できる。
【００３０】
なお、台座部材２４は、前記切込み部２４ａのほかにワイヤ２３を通す部分を別途有するものであってもよい。図７（ａ）がその台座部材２４の平面図で、図７（ｂ）は図７（ａ）のＡ−Ａ断面図、図７（ｃ）は、変形させてワイヤ２３を結合した状態の正面図である。
【００３１】
この台座部材２４は、前記４枚の片部２４ｃにそれぞれワイヤ挿通孔２４ｅが形成されている。ワイヤ挿通孔２４ｅはプレス加工で形成され、前記固定面２４ｄと反対側の下面に突出する樋状をなす。
【００３２】
ワイヤ２３の固定は、図７（ｃ）に示したように、ワイヤ挿通孔２４ｅの一端からワイヤ２３を通してワイヤ２３の先をワイヤ挿通孔２４ｅの他端から引き出して、前記と同様に台座部材２４の下で撚ってまとめると、台座部材２４を支持できる。前記ワイヤ挿通孔２４ｅは４個あるので、どのワイヤ挿通孔２４ｅにワイヤ２３を通すか、いくつのワイヤ挿通孔２４ｅにワイヤ２３を通すかは、装飾石２２，２２ａの重さやワイヤ２３の強さ等の条件に応じて適宜決められる。
【００３３】
このようなワイヤ挿通孔２４ｅにワイヤ２３通すと、ワイヤ２３が上の固定面２４ｄから突出しない。
【００３４】
なお、このワイヤ挿通孔２４ｅは、台座部材２４の厚み方向に貫通する貫通孔で構成することもできる。
【００３５】
また、ワイヤ２３の固定は、例えば、はんだ付けや溶接によって行ってもよい。
【００３６】
このようにワイヤ２３が固定された台座部材２４には、図６に示したように粘着剤２６を用いて、前記装飾石２２ａ，２２が固定される。
【００３７】
また、前記のようなラウンド・ブリリアント・カット形状の装飾石２２ａは、ブーケ１１を構成するブーケ担体２１のうちでも、より大きくして目立たせるとブーケ１１の華やかさを表現できるので、装飾石２２ａとして大きくきれいなものを使用するのが好ましい。そしてこのとき、ラウンド・ブリリアント・カット形状の装飾石２２ａのテーブル２２ｃ、すなわち上面の平坦面に、図８に示したような適宜の文字２７を形成する。
【００３８】
適宜の文字２７としては、たとえば新郎新婦の名前と日付が考えられる。演出効果を高められるほか、ブーケは、記念品として残しておくことも行われており、この場合には良い記念となる。
【００３９】
なお、前記台座部材２４は前記のように変形可能であるが、装飾石２２の形状や所望の外観など、必要によっては、例えば図９、図１０に示したように、変形させずに平らな形状のまま装飾石２２を固定する。
【００４０】
図９は、下面が平坦な装飾石２２を１個固定する例を示している。図１０は、下端が平坦な装飾石２２をちぎり絵のように複数固定する例を示している。いずれの装飾石２２も底面には反射材２８が形成され平坦であり、粘着剤２６を用いて台座部材２４の固定面２４ｄに固定される。前記反射材２８は、適宜の金属で構成され、装飾石２２の底面に一体に保持されたものである。図１０に示したように複数の装飾石２２をちぎり絵のように複数固定すると、小さな花が多数集まった偽花のような外観が得られる。なお、このように複数の装飾石２２を固定する場合には、台座部材２４を上の固定面２４ｄが凸状に湾曲するように変形させてもよい。
【００４１】
また、前記台座部材２４としては、平面視円形の例を説明したが、例えば図１１に示したような平面視楕円形状や、図１２に示したような湾曲した細長形状など、適宜の形状に形成できる。
【００４２】
図１１に示したように台座部材２４が平面視楕円形状の場合には、装飾石がたとえばオーバル・ブリリアント（Ｏｖａｌ  Ｂｒｉｌｌｉａｎｔ）形状やマーキーズ（Ｍａｒｑｕｉｓｅ）形状、ハートシェープト・ブリリアント（Ｈｅａｒｔ−ｓｈａｐｅｄ  Ｂｒｉｌｌｉａｎｔ）形状などのときに、より広い固定面２４ｄで固定できるので、安定した支持ができる。
【００４３】
また、台座部材２４が図１２に示したように湾曲した細長形状である場合には、細長い葉のような印象を付与でき、これの固定面２４ｄに、下端が平坦な装飾石２２をちぎり絵のようにして複数固定すると、図１に示したように、その輪郭によってブーケ１１全体の中でアクセントとなり、看者の目を引く美麗な存在となる。
【００４４】
図１２中、切込み部２４ａはＶ字状の切込みのみで構成され、台座部材２４の幅方向に一対備えられている。この場合の切込み部２４ａは主にワイヤ２３を固定する機能を果たす。また、切込み部２４ａに加えて、台座部材２４の厚み方向に貫通する２個のワイヤ挿通孔２４ｅが、台座部材２４の長手方向に並べた状態で前記切込み部２４ａの近傍に設けられている。
【００４５】
このような構成にして切込み部２４ａとワイヤ挿通孔２４ｅにワイヤ２３を固定すると、台座部材２４を安定して支持しやすい。
【００４６】
加えて、例えば前記図９，１０に示したように装飾石２２をワイヤ２３の先に台座部材２４を介して保持した場合には、図１３に示した如く、台座部材２４の下に別の装飾部材２９を保持することもできる。図１３の例では、台座部材２４の下に、貫通孔２９ａを有する真珠様の外観を呈する装飾部材２９を保持している。装飾部材２９の保持は、ワイヤ２３における装飾部材２９の下端の開口に相当する位置に瘤を形成すればよいが、前記テープ２５を巻き付けることによって行ってもよい。
【００４７】
つぎに、その他のブーケ担体２１ｂについて説明する。  
その他のブーケ担体２１ｂは、図３に示したように、様々な素材を用いて自由に構成できる。
【００４８】
たとえば、複数のビーズ３２にワイヤ３３を通して、それらのビーズ３２を環状に並べたり、帯状をなすリボン等の装飾生地３４を長手方向の中間部分で折り返して重ね合わせた両端部を撚るようにしてワイヤ３３の先に固定したり、レース地や編地など適宜の外観を呈する装飾生地３４で花をかたどるなどしてワイヤ３３の先に固定したりして、様々なブーケ担体３１を構成できる。ビーズ３２の配色や配列、大きさ、装飾生地３４の色や模様、材質、織り方などによって、様々な外観を得ることが可能である。なお、図３中、３５は、化粧のためのテープである。
【００４９】
このように構成された複数種類複数本のブーケ担体２１を所望の形状、大きさ、配色になるように適宜束ねると、図１に示したようなブーケ１１となる。ブーケ担体２１における装飾石２２などの装飾のための部材はワイヤ２３，３３の先に備えられる構成であるので、束ねながら装飾石２２等の向きを設定するなどして、所望のブーケ１１を得ることができる。しかも、一度決めたむきでも簡単に手直しできる。
【００５０】
そのうえ、装飾石２２は台座部材２４の上に固定されており、装飾石２２に孔をあけてワイヤを通すのではないため、外観美麗で、大きさや色の違う様々な装飾石２２を自由に組み合わせられるので、設計の自由度を高められる。
【００５１】
また、ブーケ１１の各ブーケ担体２１の間は、極力隙間がないように詰めてアレンジするので、入射光を美麗に反射させることができる。しかも、前記のようにワイヤ２３，３３の外周面には白色のテープ２５，３５が被覆されているので、明るさを確保できて、美麗に反射させる効果を高められる。
【００５２】
そのうえ、装飾石２２の底面に反射材２８を備えた場合には、反射を良好にして、台座部材２４に対する固定のための粘着剤２６を隠蔽することもでき、光による高い装飾効果を得られる。
【００５３】
さらに、ブーケ１１の中でもひときわ目立つラウンド・ブリリアント・カット形状の装飾石２２ａのテーブル２２ｃに記念の文字２７が形成されているので、演出効果高め、記念品としての価値を向上させることができる。
【００５４】
また、装飾石２２を固定する台座部材２４は切込み部２４ａを有するので、変形が容易であるとともに、形態の異なる装飾石２２にも対応できる。このため、１種類の台座部材２４で複数種類の態様により装飾石２２を固定でき、作業の簡単化や製造コストの低減に貢献できる。
【００５５】
そのうえ、図７（ａ）に示したように、台座部材２４の切込み部２４ａをワイヤ２３の挿通に利用することによって、台座部材２４の構造の簡単化を図れる。また、切込み部２４ａには孔部２４ｂを有するので、ワイヤ２３の位置ずれを抑制できる上に、手直しして装飾石２２などの向きを変えたときでも、台座部材２４が裂けたりしにくく、望みどおりの形状にアレンジしても不測の損傷を回避できる。
【００５６】
切込み部２４ａに加えてワイヤ挿通孔２４ｅを備えた場合には、例えば、切込み部２４ａとワイヤ挿通孔２４ｅの双方にワイヤ２３を通すなど、状況に応じて多様な使用ができる。
【００５７】
この発明の構成と、前記一形態の構成との対応において、  
この発明の平坦面は、前記テーブル２２ｃに対応するも、  
この発明は、前記構成のみに限定されるものではなく、その他の構成を採用することもできる。
【００５８】
たとえば、台座部材における切込み部は線状の切り込みで構成することもでき、また、切込み部の孔部は省略してもよい。
【００５９】
さらに、文字が形成される部分は、ラウンド・ブリリアント・カット形状の装飾石以外の装飾石であってもよい。
【符号の説明】
【００６０】
１１…ウエディングブーケ
１２…ブートニア
２１…ブーケ担体
２１ａ…装飾石を有するブーケ担体
２１ｂ…その他のブーケ担体
２２…装飾石
２２ｃ…テーブル
２３…ワイヤ
２４…台座部材
２４ａ…切り込み部
２４ｅ…ワイヤ挿通孔
２５…テープ
２７…文字
２８…反射材
【図１】
0005618650.tif 000002
【図２】
0005618650.tif 000003
【図３】
0005618650.tif 000004
【図４】
0005618650.tif 000005
【図５】
0005618650.tif 000006
【図６】
0005618650.tif 000007
【図７】
0005618650.tif 000008
【図８】
0005618650.tif 000009
【図９】
0005618650.tif 000010
【図１０】
0005618650.tif 000011
【図１１】
0005618650.tif 000012
【図１２】
0005618650.tif 000013
【図１３】
0005618650.tif 000014